(57)【要約】【課題】掘り取り体から土壌を崩れ落ちる空間を確保して、補助作業者が掘り取り体から土壌を取り除く負担を軽減させ、根菜の抜き取り作業が効率良くできる根菜掘り取り機を提供する。【解決手段】傾斜面を有する掘り取り体を根菜の下方部に通過させて根菜を掘り上げる根菜掘り取り機であって、掘り取り体３前方部の左右に垂下するビーム１ｇ上方部の左右外面部には、ビーム１ｇ外側の地上部付近の土壌を側方外側に移動させる排土板９ａが設けられていて、該排土板９ａ平面視ビーム１ｇ側面から後方外側に向けて傾斜して左右対称に設けられ、後面視、外側の端縁は、下方から上方に向かうに従って外側方に傾斜している第１傾斜端縁と、該第１傾斜端縁上端部から略水平に外側方に延設された水平端縁部と、該水平端縁部の外側先端部から上方に向かうに従って外側方に傾斜している第２傾斜端縁を備えることを特徴とした根菜掘り取り機である。【選択図】      図１
2018201378.tif 000002
【特許請求の範囲】
【請求項１】
傾斜面を有する掘り取り体を長いも等の根菜の下方部に通過させて根菜を浮き上がらせて掘り上げる根菜掘り取り機であって、
前記掘り取り体は、前部に備えられた後ろ上がり傾斜の刃部と、該刃部後端部から後方側に延びて上面は前方から後方に至るに従って上昇する傾斜面を有するベルトコンベア部を備え、
該ベルトコンベア部前方部の左右に上下方向に垂下するビームを備え、該ビーム上方部の左右外面部には、ビーム外側の地上部付近の土壌を側方外側に移動させる排土板が設けられていて、
作業状態における前記排土板は、平面視ビーム側面から後方外側に向けて傾斜して左右対称に設けられ、後面視、外側の端縁は、下方から上方に向かうに従って外側方に傾斜している第１傾斜端縁と、該第１傾斜端縁上端部から略水平に外側方に延設された水平端縁部と、該水平端縁部の外側先端部から上方に向かうに従って外側方に傾斜している第２傾斜端縁を備えることを特徴とした根菜掘り取り機。
【請求項２】
前記水平端縁部は、前方に向けて傾斜した掬い部を備えること特徴とした請求項１に記載の根菜掘り取り機。
【請求項３】
前記排土板は第１傾斜端縁を備えた第１排土板と、水平端縁部と第２端縁部を備えた第２排土板で構成され、第２排土板は第１排土板に対し左右方向に位置調整可能であることを特徴とした請求項１又は請求項２のいずれかに記載の根菜掘り取り機。
【発明の詳細な説明】
【技術分野】
【０００１】
本発明は、トラクタに装着されて使用される農作業機であり、牽引される機枠に取付けられ、前端部に後部が上方へ傾斜した刃部を有し、該刃部の後部に駆動される無端コンベアベルトを設けた掘り取り体を、植え付けられた長いも等の根菜の下方部を通過させ長いも等の根菜を浮き上がらせて掘り取る、長いも等の根菜の掘り取り機の改良に関するものである。
【背景技術】
【０００２】
長いも等の根菜の掘り取り機は、掘削部で土壌を膨軟にさせ、掘り取り体で根菜を浮き上がらせた後に、土崩し手段や補助作業者によって浮き上がった土壌を掘り取り機側方に落として、根菜を露出させた後に、補助作業者が根菜を引き抜いて収穫作業を行うことが、根菜の掘り取り作業の一連の工程になっている。従来、このような掘り取り機械として、特開２０００−１３９１５１号公報（特許文献1）の「根菜等の掘取り機」、特開２００８−２９２３０号公報（特許文献２）の「長いも掘取り装置」、特開２０１６−２１４０８９号公報（特許文献３）の「根菜掘取り機」が開示されている。
【０００３】
特許文献１に開示された「根菜等の掘取り機」は、「トラクタに取付けられる基枠と、基枠に支持バーを介して支持バーに対して前方部が後方部より下方に位置するように設置され、先端には刃部を有し、前後に亙って掛け渡されるコンベヤベルトを設けられると共に、コンベヤベルトを駆動可能な駆動プーリを設けられる堀取り体とからなり、駆動プーリは、コンベヤベルト上面を後方に向けて回転する方向にのみ空転可能であることを特徴とする根菜等の堀取り機」である。また、特許文献２に開示された「長いも掘取り装置」は、「トラクタの後部に連結されて牽引される基枠の下部に取り付けられ、前部が刃部を形成し、後部が上方に傾斜した無端パワーベルトコンベアから成る掘り取り刃体を有する長いも堀取り装置において、前記無端パワーベルトコンベアの後部に振動板を上下に揺動する振動板揺動機構を連設して成り、前記掘り取り刃体により掘り起こした長いもに付着する栽培土を振り落とすようにしたことを特徴とする長いも掘取り装置。」である。さらに、特許文献３に開示された「根菜掘取り機」は、「掘り取り体のローラは、ベルトコンベアの左右に立設するコンベア側板に保持されていて、前端部ローラ又は前端部ローラを含む前方側の複数のローラは、後方側のローラを保持するコンベア側板とは別体の前方側側板に保持されていて、コンベア側板に対し前方側側板は前方側側板の後方側を回動中心として上下方向に回動可能である根菜掘り取り機による。また、ローラの摺動部への給油は、前方側側板に設けた潤滑剤流路を経由して給油されることを特徴とする根菜掘り取り機」である。
【０００４】
刃部の後部に駆動される傾斜した掘り取り体を植え付けられた根菜の下方部を通過させ、根菜を浮き上がらせて掘り取る根菜掘り取り機は、掘り取り機後方の掘り取り体で土壌と根菜を上昇させ、補助作業者が根菜を抜き取ることによって掘り取り作業が行える。
このため、特許文献１の根菜等の掘取り機は、進行方向後方側に駆動される無端ベルトコンベアを設けている。また、特許文献２の長いも掘取り装置は、無端ベルトコンベアの後部に振動板を上下に揺動する振動板揺動機構を設けて、長いもに付着した土塊を振り落とすように構成されている。さらに、特許文献３の根菜掘り取り機は、無端ベルトコンベアに高い土圧が作用しても駆動抵抗を低く抑え、土砂等が侵入した場合でも容易に取り除くことができる機構が設けてある。
【０００５】
掘り取り体で掘り上げて上昇した土壌は、掘り取り体側方から地上面に崩れ落ちるが、崩れ落ちる空間を確保するため、掘削部で掘削して地中から排出された土壌や、掘り取り体側方に崩れ落ちた土壌を外側方に押し出すための排土板が特許文献１の図１、特許文献３の図１、図３、図４に図示され開示されている。
【先行技術文献】
【特許文献】
【０００６】
【特許文献１】特開２０００−１３９１５１号公報
【特許文献２】特開２００８−２９２３０号公報
【特許文献３】特開２０１６−２１４０８９号公報
【発明の概要】
【発明が解決しようとする課題】
【０００７】
しかしながら、該排土板は後面視で、外側の端縁は、下方から上方に向かうに従って外側方に傾斜している単一の直線状の傾斜端縁のみで構成されているので、該排土板で削り取り形成された下方谷部の土壌上に、掘り取り体によって上昇させた土壌の左右側方から崩れ落ちた土壌と、排土板で左右外側に移動させ山状に堆積させた排土の傾斜面から崩落した土壌の双方が堆積する。堆積した土壌が、掘り取り体外側の地上面に早期に多量に積み重なると、積み重ねられた土壌に遮られて、掘り取り体上の上方に上昇させた土壌は、左右に崩れにくく根菜が露出しにくい。根菜の露出が少ないと、補助作業者は根菜の周囲の土壌を多量にかき分けた後に根菜を引き抜くので、引き抜くまでの動作が多くなり労力が大きくなる。
【０００８】
このことから本発明の目的は、掘削部及び掘り取り体が通過時に発生する掘り取り体外側の地上面に山状になる土壌を外側方に排出し、掘り取り体上の土壌が側方から崩れ落ちる空間を地上面に確保し、掘り取り体により上昇させた土壌を左右に崩れやすくして、根菜を露出しやすくすることによって、補助作業者が根菜の抜き取り作業が効率良くできる根菜掘り取り機を提供することを目的とする。
【課題を解決するための手段】
【０００９】
上記課題を解決するために、請求項１に係る発明は、傾斜面を有する掘り取り体を長いも等の根菜の下方部に通過させて根菜を浮き上がらせて掘り上げる根菜掘り取り機であって、前記掘り取り体は、前部に備えられた後ろ上がり傾斜の刃部と、該刃部後端部から後方側に延びて上面は前方から後方に至るに従って上昇する傾斜面を有するベルトコンベア部を備え、該ベルトコンベア部前方部の左右に上下方向に垂下するビームを備え、該ビーム上方部の左右外面部には、ビーム外側の地上部付近の土壌を側方外側に移動させる排土板が設けられていて、作業状態における前記排土板は、平面視ビーム側面から後方外側に向けて傾斜して左右対称に設けられ、後面視、外側の端縁は、下方から上方に向かうに従って外側方に傾斜している第１傾斜端縁と、該第１傾斜端縁上端部から略水平に外側方に延設された水平端縁部と、該水平端縁部の外側先端部から上方に向かうに従って外側方に傾斜している第２傾斜端縁を備えることを特徴とした根菜掘り取り機である。
【００１０】
また、上記課題を解決するために、請求項２に係る発明は、前記水平端縁部は、前方に向けて傾斜した掬い部を備えること特徴とした請求項１に記載の根菜掘り取り機である。
【００１１】
さらに、上記課題を解決するために、請求項３に係る発明は、前記排土板は第１傾斜端縁を備えた第１排土板と、水平端縁部と第２端縁部を備えた第２排土板で構成され、第２排土板は第１排土板に対し左右方向に位置調整可能であることを特徴とした請求項１又は請求項２のいずれかに記載の根菜掘り取り機である。
【発明の効果】
【００１２】
この発明によれば、掘り取り体外側の地上面に堆積する土壌を排土板が側方に押し出すと同時に、該排土板の水平端縁部で平坦面を形成し、該平坦部で外側方の傾斜面から崩れてくる土壌を堰き止めることによって、掘り取り体で上昇させた土壌が崩れ落ちる空間量を大きく確保する。掘り取り体で上昇させた土壌の側方を地上面に多く崩し落とすことができるので、根菜の露出量が多くなり、補助作業者によって掘り取り体で上昇させた土壌を取り除く必要が無くなる。よって、掘り取り体によって上昇させた根菜を大きく露出させることが可能になり、補助作業者が抜き取り作業にかかる労力を大きく軽減できる。
【図面の簡単な説明】
【００１３】
【図１】本発明の実施例の根菜掘り取り機の作業状態の進行方向左側の側面図である。
【図２】本発明の実施例の根菜掘り取り機の作業状態の平面図である。
【図３】本発明の実施例の根菜掘り取り機の作業状態の後面図である。
【図４】本発明の実施例の根菜掘り取り機のコンベア駆動部を断面した平面図である。
【図５】本発明の実施例の排土板の進行方向左側の要部側面図である。
【図６】本発明の実施例の排土板の水平端縁部の掬い部を断面した側面図である。
【図７】従来の排土板によって土壌を排除した状態の説明図である。
【図８】本発明の排土板によって土壌を排除した状態の説明図である。
【図９】本発明の排土板の第１排土板と第２排土板を一体にした別実施例の進行方向左側の要部側面図である。
【図１０】本発明の排土板の第１排土板と第２排土板を一体にして水平端縁部の掬い部を設けた別実施例の進行方向左側の要部側面図である。
【発明を実施するための形態】
【００１４】
実施の一形態を、図１乃至図１０に基づいて説明する。走行作業車両であるトラクタ（図示せず）の後部には昇降リンクである３点リンク機構が設けられていて、本発明の根菜掘り取り機前方部の装着部と昇降自在に連結されると共に、トラクタ側から出力される動力によって駆動される。本例の説明においては、図１に示す左側を進行方向前方側として説明する。
【００１５】
機体を保持する機枠１は、板状体を相互に左右対向させた状態に形成する。そして、機枠１の前方先端には板状体相互間に固定され左右先端部にロアリンクピン１ｆを設けた丸棒状フレームが板状体を連結固定し、さらに機枠１の後端にはブラケット１ｂを上方へ向け突設する。
【００１６】
機枠１の前方部には、マストフレーム１ａが設けられている。マストフレーム１ａは板状体からなり、左右対向させた状態に機枠１に連結されている。マストフレーム１ａの下端である基部は、機枠１の前記ロアリンクピン１ｆを設けた丸棒状フレーム近傍に前後回動自在に回動軸１ｃによって保持されていて、マストフレーム１ａの上部先端前方にはトップリンクピン１ｅを左右方向水平に設けている。また、マストフレーム１ａの後方は油圧シリンダ１ｄの一端と連結され、油圧シリンダ１ｄの他端は機枠１の後部に設けたブラケット１ｂと連結される。そして、トップリンクピン１ｅと前記機枠１に設けたロアリンクピン１ｆによってトラクタの昇降リンクである３点リンク機構に取り付けられる。従って、油圧シリンダ１ｄを伸縮させることで、前記回動軸１ｃを中心に機枠１の後方側を上下に回動することが可能となる。油圧シリンダ１ｄを縮めると掘削部２及び掘り取り体３が後方に回動して上昇し移動状態となる。
【００１７】
機枠１には、掘削部２とビーム１ｇが下方に延設され左右一組ずつ設けられている。掘削部２は、ビーム１ｇの前方側に位置し、掘り上げる長いも等の根菜の左右側方の土壌を掘削するものである。ビーム１ｇの下方端部には後述する掘り取り体３が備えられている。
【００１８】
掘削部２は、機枠１に下方へ向けて設けられる。掘削部２は、根菜掘り取り機を掘り取り作業状態にした時に、土中に位置し、掘り上げる長いも等の根菜の左右側方の土壌を掘削し根菜とその周囲の土壌を上昇させやすくする。掘削部２は、ブーム２ａとその周囲に巻架された掘削チェーン２０からなる。掘削チェーン２０は、ローラーチェーン２ｅとその外周に複数取り付けられた掘削刃２ｆによって構成されている。掘削チェーン２０は、ブーム２ａの機枠１側の基部に設けた駆動スプロケット２ｂと他端部に設けたテンションスプロケット２ｃとブーム２ａの中間部の前方に張り出して設けたアイドラスプロケット２ｄに側面視三角状に巻架されている。ブーム２ａは進行方向左右に対向してそれぞれ上端を機枠１の後方側に固定される。従って、掘削チェーン２０は対向する各ブーム２ａに設けられ、掘り取り作業時には、対向するブーム２ａ間に掘り取り対象である長いも等の根菜を位置させて、掛け渡された掘削チェーン２０を上下に駆動することで、掘り起こし対象である根菜の左右側方の土壌を上下にかき分け膨軟にすることができる。ブーム２ａ先端側は長さ方向に伸縮可能で、掘削チェーン２０の張り調整が行える。また、掘り取り作業中に土中から露出する掘削部２の上方部は、掘削部カバー７によって覆われている。さらに、左右側方と後方に丸パイプで成形されたサイドガード７ａとリヤガード７ｂが設けられていて、掘削部２の可動部への作業者の接触や巻き込まれによる事故の安全上の防止がされている。
【００１９】
掘削部２の掘削チェーン２０後方には、掘削チェーン２０に近接してビーム１ｇが機枠１後方側から下方に延設され左右に対向して設けられ、前方視において掘削チェーン２０後方に重合した位置に設けられる。ビーム１ｇの下端部は掘削チェーン２０下端部近傍まで延設されている。ビーム１ｇは、上下に長い帯板状で板厚端縁が進行方向を向いた状態で機枠１に上方部を固定されている。すなわち、前記ブーム２ａとビーム１ｇは位置関係が固定されている。
【００２０】
ビーム１ｇの下端部には、掘り取り体３が取り付けられている。掘り取り体３は、前部に後ろ上がり傾斜の刃部３ｄを備え、該刃部後端部から後方側に延びて上面は前方から後方に至るに従って上昇する傾斜面を有する掘り取り体本体であるベルトコンベア３ａが設けられている。
【００２１】
掘り取り体３は、前記左右に位置するビーム１ｇの間に設けられ、ビーム１ｇに刃部３ｄ近傍を固着して取り付けられている。掘り取り作業時の掘り取り体３は、掘り取り対象である長いも等の根菜の下方部を通過して、掘削部２によって掘削され左右側部の土が膨軟になった内側の根菜周辺の土壌と根菜をベルトコンベア３ａの傾斜面に載せて移動させ、根菜を上方に浮き上がらせるものである。
【００２２】
刃部３ｄは、鋼板製でベルトコンベア３ａの幅と略同じに設けられ、根菜の下方部の土中をトラクタの進行によって切削していく。
【００２３】
前記ベルトコンベア３ａは、後方端側に側面視径が大きい駆動ローラ３ｂを位置させ、刃部３ｄ側の前端部から後方側に駆動ローラ３ｂより径が小さいサポートローラを複数配置して、ベルトを巻き付けベルコンベア３ａの上面が後ろ上がりの傾斜となるように構成されている。ベルトコンベア３ａは、駆動ローラ３ｂを掘り取り体３内に設けたコンベア駆動油圧モータ３ｅによってローラ駆動ギヤケース３ｃを介して回転駆動され、ベルトコンベア３ａの上面の傾斜面が前方側から後方側に移動するように駆動される。ベルトコンベア３ａの駆動ローラ３ｂとベルトコンベア３ａを支えるサポートローラは、ベルトコンベア３ａの左右に立設しているコンベア側板３ｆにより回転自在に保持されている。
駆動された前記ベルトコンベア３ａによって、地上面に浮き上がった根菜の頭部を補助作業者が掴み、引き抜くことができる。
【００２４】
左右のビーム１ｇの中間位置の上方部の後方側には、土崩し手段８が設けられている。土崩し手段８は、掘り取り体３によって上昇してきた根菜と土壌から土壌を左右に払い崩して根菜の上端部を露出させるためのものである。土崩し手段８は、進行方向に複数の丸棒状のかき分け棒が間隔を置いて直線状に並べられ、上方部を中心に下方部が進行方向と直交する方向に揺動して、土壌を掘り取り体３の側方に払い崩す。
【００２５】
ビーム１ｇ上方部の左右外面部には、ビーム１ｇ外側の地上部付近の土壌を側方外側に移動させる排土板が設けられている。本例における排土板は、ビーム１ｇに取り付けられる第１排土板９ａと第１排土板９ａに取り付けられる第２排土板９ｃで分割され構成されていて、作業状態における前記排土板は、図２に示すように、平面視ビーム１ｇ側面から後方外側に向けて傾斜して左右対称に設けられ、また、図３に示すように、後面視、第１排土板９ａの外側の端縁は、下方から上方に向かうに従って外側方に傾斜している第１傾斜端縁部９ｂを備えている。さらに、第１排土板９ａの前方面に、第１排土板９ａの第１傾斜端縁部９ｂ中間付近部から略水平に外側方に延設され、前方に傾斜した掬い部９ｄを設けた水平端縁部９ｅと、該水平端縁部９ｅの外側先端部から上方に向かうに従って外側方に傾斜している第２傾斜端縁９ｆを備えた第２排土板９ｃが固着されている。第２排土板９ｃは、第１排土板９ａの後方面に設けていてもよい。
【００２６】
図５は、第１傾斜端縁部９ｂを備えた第１排土板９ａと、水平端縁部９ｅと第２傾斜端縁部９ｆを備えた第２排土板９ｃで構成され、第２排土板９ｃは第１排土板９ａに対し、左右方向に位置調整可能であるように分割して設けた本発明の排土板の要部左側面を示す。
【００２７】
第１排土板９ａの第１傾斜端縁部９ｂで、掘削部２及び掘り取り体３前方直上の外側地上面の角部を削り取ると同時に、平面視後方外側に向けて傾斜した面で外側方に削り取った土壌を移動させる。
【００２８】
又、第２排土板９ｃの水平端縁部９ｅで地上面の土壌を水平に削り、地上面を平坦に均すと同時に平面視後方外側に向けて傾斜した面で、水平端縁部９ｅで削り取った土壌と前記第１傾斜端縁部９ｂで送り出された土壌を外側方に移動させる。
【００２９】
さらに第２傾斜端縁部９ｆで、第１傾斜端縁部９ｂと水平端縁部９ｅに沿って排土板９ａの内側から外側に移動してきた土壌を、第２傾斜端縁部９ｆに沿うように外側に傾斜させながら外側に排土していく。
【００３０】
ここで図７及び図８を用いて掘り取り作業時の土壌が移動する様子を説明する。
図７は、従来の排土板を使用した場合の後方からの土壌断面を示す。単一な直線状の傾斜端縁で構成された従来の排土板を使用した場合、掘り取り体３で上昇させた土壌の左右側方から崩れ落ちる土壌と、排土板外側の単一な直線状の傾斜端縁で形成された土壌傾斜部から崩れ落ちる土壌の双方が、単一な直線状の傾斜端縁で形成された下方谷部Ｂに埋没し、早期に土壌が積み重なる。積み重なった土壌によって、掘り取り体３上の土壌が掘り取り体の側方から落ちようとする流れを堰き止めて、掘り取り体３から土壌が落ちなくなり、根菜が露出しにくくなる。
【００３１】
図６は、本発明の第１排土板９ａと第２排土板９ｃで構成された排土板を使用した場合の土壌断面を示す。第１排土板９ａの第１傾斜端縁部９ｂで形成された下方谷部Ｂへ、掘り取り体３によって上昇した土壌が崩れ落ちる。第２排土板９ｃの第２傾斜端縁部９ｆで形成された土壌の傾斜部から掘り取り体側へ土壌が崩れた場合は、第２排土板９ｃの水平端縁部９ｅによって形成された平坦部Ｃで堰き止められる。
【００３２】
すなわち、第１傾斜端縁部９ｂで形成された空間には、第１排土板９ａの水平端縁部９ｂと第２排土板９ｃの第２傾斜端縁部９ｆで形成された土壌が崩れ落ちないため、掘り取り体３で上昇させた土壌が崩れ落ちる空間を確保でき、掘り取り体３上の土壌を多く崩し落とすことができる。掘り取り体３上の土壌を多く崩し落とすことによって、根菜Ａの露出面積を増大させることができるため、補助作業者は容易に根菜Ａの頭部を把持し、引き抜くことが可能となる。
【００３３】
又、図５に示すように、前記第２排土板９ｃの取り付けには複数の穴が設けられ、第１排土板９ａに対して左右方向に穴を選択し、鋲螺を用いて固着することによって左右方向に位置調整可能である。本例の場合は、第２排土板９ｃに内側穴９ｇと中間穴９ｈと外側穴９ｉの位置調整用穴を設けていて、図５は中間穴９ｈを使用した状態を示している。第２排土板９ｃの位置調整用穴は、長穴状に設けて左右に位置調整可能としてもよい。
【００３４】
前記第２排土板９ｃの左右幅調整でより外側方に土壌を排出し、第２排土板９ｃの水平端縁部９ｅで形成した水平な平坦部Ｃが広ければ、第２排土板９ｃの左右端で形成された傾斜部から崩れた土壌が、第２排土板９ｃの水平端縁部９ｅで形成した平坦部Ｃにより多く堰き止めることができる。崩れた土壌が広く形成された平坦部Ｃで堰き止められることにより、第１傾斜端縁９ｂで形成された下方谷部Ｂの空間に土壌が落ちることが減り、掘り取り体３で上昇させた土壌が側方から崩れ落ちる下方谷部Ｂの空間を大きく確保できる。
さらに第２排土板９ｃを左右位置調整することにより、土質や土壌水分等により異なるそれぞれの条件に合わせて調整することが可能になり、多くの根菜の栽培地域に対応することが可能となる。
【００３５】
図８は、第２排土板９ｃの水平端縁部９ｅに掬い部９ｄを設けた状態の断面図である。
本例の場合は、掬い部９ｄの掬い角度９ｊは４０度に設けている。掬い角度９ｊは３０度乃至５０度程度に設けると良い。掬い部９ｄを設けることにより、土壌が掻き上げられて押し出し抵抗が少なくなり、効率よく左右の外側方に排土される。
【００３６】
図９は、第１排土板と第２排土板を一体化させた排土板の別実施例の要部左側面図で、図１０は、第１排土板と第２排土板を一体化させ、さらに水平端縁部１１ｃに掬い部１１ｄを設けた排土板の別実施例の要部左側面である。いずれの場合も、本発明同様の排土効果を得られる。
【００３７】
図１に示す状態は、掘り取り作業状態の姿勢を示したもので、本例の場合、掘り取り体３は地下１．２ｍくらいの深さに位置する。トラクタによって掘り取り機を移動等させる場合は、油圧シリンダ１ｄを縮ませることによって、回動軸１ｃを中心に機枠１後方側が図１の状態から反時計方向に回動する。これによって、機枠１後方側に固定された掘削部２下方部と掘り取り体３は回動して上昇する。さらに、トラクタの昇降リンクである３点リンク機構を上昇させると、掘削部２の下方部及び掘り取り体３が地上より上に位置して装着されたトラクタ等によって移動させることができる。
【００３８】
機枠１中央部にはトラクタからの動力が入力される入力ギヤケース５ｂが設けられている。入力ギヤケース５ｂ前方には入力軸５ｃが前方に向け突設されていて、トラクタのＰＴＯ軸（図示せず）と入力軸５ｃをユニバーサルジョイント等で連結してトラクタからの動力が入力される。入力ギヤケース５ｂには、入力軸５ｃと直交する方向の左右に出力軸が突設されていて、駆動スプロケット２ｂがそれぞれ固着されている。駆動スプロケット２ｂには、掘削部２の掘削チェーン２０が巻架されていて、入力軸５ｃに入力された動力によって掘削チェーン２０が駆動される。また、入力ギヤケース５ｂの上部には、油圧ポンプ５ａが設けられ、入力軸５ｃに固着したスプロケットと油圧ポンプ５ａの入力軸に固着したスプロケットとにローラーチェーンが巻架され油圧ポンプ５ａが駆動される。油圧ポンプ５ａで発生した油圧は、配管を通じて掘り取り体３のコンベア駆動油圧モータ３ｅに送られ該油圧モータが駆動される。コンベア駆動油圧モータ３ｅが駆動されると、掘り取り体３のベルトコンベア３ａの駆動ローラ３ｂが回転してベルトコンベア３ａが作動する。入力ギヤケース５ｂの後方には土崩し手段８を駆動する出力部が設けられ、土崩し手段８を駆動する。機枠１を回動させる油圧シリンダ１ｄはトラクタ側にバルブを設けトラクタ側の油圧によって作動させる。
【００３９】
本発明の実施例の長いも等の根菜掘り取り機によって掘り取り作業を行う方法を説明する。機枠１の前方左右に設けたロアリンクピン１ｆをトラクタの３点リンク機構のロアリンクに連結し、機枠１前方上方部に設けたマストフレーム１ａの前方側に位置するトップリンクピン１ｅをトラクタの３点リンク機構のトップリンクに連結して掘り取り機をトラクタに装着する。トラクタのＰＴＯ軸と入力ギヤケース５ｂの入力軸５ｃにユニバーサルジョイント等の動力伝達軸を連結してトラクタからの動力を入力できる状態にする。
【００４０】
掘り取りする長いも等の根菜Ａが植えられている畝にトラクタを跨がせた状態に位置させ、すなわち、掘削部２の左右の掘削チェーン２０の中央部に根菜が位置するように位置させて、掘削部２及び掘り取り体３のベルトコンベア３ａを駆動させる。そして、トラクタ側に設けたバルブを操作して油圧シリンダ１ｄを伸ばしていくと、機枠１が図１に示す状態の時計方向に回動して、これに固定された掘削部２と掘り取り体３が地中に入り込んでいく。掘り取り体３の前方の刃部３ｄを掘り取り対象根菜の下方部に位置させたら、トラクタを前進させて掘り取り作業を開始する。
【００４１】
トラクタが前進することにより、掘削部２によって根菜の左右側方を掘削して土壌を膨軟にしていく。そして、掘削部２後方に位置する掘り取り体３のベルトコンベア３ａの傾斜面に、左右の掘削チェーン２０の内側に位置する土壌が載せられ、根菜Ａと共に後方に移動する。土壌と根菜Ａは、ベルトコンベア３ａの傾斜面に沿って上方に浮き上げられる。掘り取り体３によって上昇させた土壌が側方から崩れ落ちることによって、根菜Ａを露出させる。そして、補助作業者は露出した根菜Ａの頭部を把持し、根菜Ａを引き抜いていく。
【００４２】
このとき、掘削部２左右外側の地上面上部の土壌を、第１排土板９ａの後面視外側の下方から上方に向かうに従って外側方に傾斜した第１傾斜端縁９ｂで削り、削った土壌を排土板９ａの平面視後方外側に向けて傾斜した面で外側方向に押し出していく。さらに第２排土板９ｃの水平端縁部９ｅで、第１傾斜端縁９ｂから移動してきた土壌を第２傾斜端縁９ｅに移動させながら、地上面上部を平坦に均し、余分な土壌は外側に移動させていく。第２排土板９ｃ先端の第２傾斜端縁９ｆで、排土板のビーム１ｇ側から外側方に移動してきた土壌を、第２排土板９ｃの外側方に山状に排出していく。前記第１排土板９ａの第１傾斜端縁９ｂで削り取った空間の下方谷部Ｂに、掘り取り体３の側方から多くの土壌が崩れ落ちることによって、根菜Ａは露出を多くできるため、補助作業者が容易に根菜Ａの頭部を把持し引き抜いていく。
【００４３】
本例の場合、掘り取り体３の前方に掘削部２を設けているが、必ずしも掘削部２を設けた掘り取り機でなくても本発明は実施できる。さらに、本例の場合、駆動されたベルトコンベア３ａを設けているが、必ずしも駆動されたベルトコンベア３ａを設けた根菜掘り取り機でなくても本発明は実施できる。
【産業上の利用可能性】
【００４４】
この発明は、トラクタ等の走行機後方に装着されて長いも等の根菜を掘り取るための掘り取り機に適用できる。
【符号の説明】
【００４５】
１    機枠
１ａ  マストフレーム
１ｂ  ブラケット
１ｃ  回動軸
１ｄ  油圧シリンダ
１ｅ  トップリンクピン
１ｆ  ロアリンクピン
１ｇ  ビーム
２    掘削部
２０  掘削チェーン
２ａ  ブーム
２ｂ  駆動スプロケット
２ｃ  テンションスプロケット
２ｄ  アイドラスプロケット
２ｅ  ローラーチェーン
２ｆ  掘削刃
３    掘り取り体
３ａ  ベルトコンベア
３ｂ  駆動ローラ
３ｃ  ローラ駆動ギヤケース
３ｄ  刃部
３ｅ  油圧モータ
３ｆ  コンベア側板
５ａ  油圧ポンプ
５ｂ  入力ギヤケース
５ｃ  入力軸
７    掘削部カバー
７ａ  サイドガード
７ｂ  リヤガード
８    土崩し手段
９ａ  第１排土板
９ｂ  第１傾斜端縁部
９ｃ  第２排土板
９ｄ  掬い部
９ｅ  水平端縁部
９ｆ  第２傾斜端縁部
９ｇ  内側穴
９ｈ  中間穴
９ｉ  外側穴
９ｊ  掬い角度
１０ａ  排土板
１０ｂ  第１傾斜端縁部
１０ｃ  水平端縁部
１０ｄ  第２傾斜端縁部
１１ａ  排土板
１１ｂ  第１傾斜端縁部
１１ｃ  水平端縁部
１１ｄ  掬い部
１１ｅ  第２傾斜端縁部
Ａ    根菜
Ｂ    下方谷部
Ｃ    平坦部
【図１】
2018201378.tif 000003
【図２】
2018201378.tif 000004
【図３】
2018201378.tif 000005
【図４】
2018201378.tif 000006
【図５】
2018201378.tif 000007
【図６】
2018201378.tif 000008
【図７】
2018201378.tif 000009
【図８】
2018201378.tif 000010
【図９】
2018201378.tif 000011
【図１０】
2018201378.tif 000012